(57)【特許請求の範囲】
【請求項１】
遊技板の前面に揃えて開設する飛入口にソレノイドによって開閉動される扉を備えた主体の内部に入賞球を誘導する飛入球流路を形成し、該飛入球流路の先端部の底部を切欠いて通常口を形成すると共に該通常口の先に特別口を開設し、前記通常口にはソレノイドによって開閉操作され、開放時には前記特別口と飛入球流路とを遮断し入賞球を受け入れる一方、閉塞時には前記飛入球流路と特別口を連通して入賞球を該特別口に誘導する振分けシャッタと、入賞球の通過を検出し予め設定する複数個の入賞球を計数記憶する記憶回路に接続する検出スイッチとを備え、また前記特別口には入賞球の通過を検出すると共に前記飛入口の扉を予め設定する回数の範囲で繰返し開放指示する継続回路に接続する検出スイッチを備えてなり、前記振分けシャッタを開閉操作する前記ソレノイドは前記飛入口の扉が閉塞状態にあるとき失磁させ、前記通常口を閉塞して前記特別口を前記飛入球通路に連通する開放状態に保ち、前記扉の開放に伴って最初の入賞球が飛入したとき前記特別口に誘導して該入賞球の通過を前記検出スイッチで検出し、これにより前記振分けシャッタのソレノイドを励磁し、前記振分けシャッタの開放作動により前記通常口を開放して前記所定数の入賞球の入賞を可能にしてなることを特徴としたパチンコ機の入賞装置。
【発明の詳細な説明】
【０００１】
【産業上の利用分野】
本発明は、パチンコ機の遊技板に備えられる入賞装置に関する。
【０００２】
【従来の技術】
遊技板に組込まれる入賞装置については種々様々なものが提案されており、多くの実用例がある。これら入賞装置は説明するまでもなく打ち出された打球のうち、該装置に受入れられたものを有効入賞球、つまりセーフ球とし、このセーフ球があったとき予め定める球数の賞球を遊技者に放出し、この賞球を再びゲーム球として使用することによって繰り返しゲームが行えるものとしている。この入賞装置には単発的に１個づつ受け入れるものと、一時的に連続して多数の入賞球を受け入れるものとがある。
【０００３】
後者の入賞装置は一般に大入り入賞装置、或いは大入賞装置と称して近時広く実用化されているが、この入賞装置は一定の条件を満足させたとき、一般には始動用の特定入賞口に打球が飛入したとき、これを条件として装置の飛入口に備える扉を開放し、この扉を利用して短時間に多くの入賞球が飛入する構造になっている。そして更にこの装置においてはゲーム性を高めるため、この大入入賞装置に一定数の入賞球があったとき、前記扉を閉塞するが、この間に入賞した球が装置内の特定の通路を通ったとき、これを条件に再び飛入口の上記扉を開放して再度大入状態を作り、入賞条件が緩和された状態を継続させるものが広く実施されている。
【０００４】
この継続機能を備えた入賞装置は一般に飛入口の内部に２種類の通路を備え、その一つの通路、即ち特定通路に入賞球が入ったとき、これを検出スイッチ等を使って電気的に検出し、且つ記憶させて扉が閉塞したとき開放信号を送って再開放させるようにしてある。そして、入賞球が特定通路に偏って入らないように従来は飛入口の内部に設けられる通路の幅や位置を特定してその他の通路とを区分し、入賞球が内部を転がり移動する間に、或いは飛入時の落下位置の違い等の偶然性を利用して特定通路と通常通路に転入する確率を略１／３となるように設定していた。
【０００５】
【発明が解決しようとする問題点】
しかし、この従来の大入入賞装置は、打球が飛入した位置や、飛入後の転がり移動による偶然性によって振り分けることからばらつきがあり、ときには扉の開放によって設定した多数球の飛入があっても全く特定通路に入らず継続の利益が得られないことがあった。
従来この様なことを解消するため飛入口に臨む障碍釘を調整して回避する方法が講じられていたが、それでも偶然性が前提となるから釘の調整岳では設定通りに振り分けられず充分な解決方法にはなっていなかった。
【０００６】
本発明は、この様な従来の問題点に鑑みその改善を目的として開発されたものであり、特に本発明は従来例えば飛入口に備える扉を継続開放させる場合にその継続がなされなかったり、或いは設定通りの確率で振り分けられない不都合を解消することを目的としてなされたもので、従来における障碍釘の調整や配置の選択等作業上、設計上の困難性を排除して常に設定した通りの正確な入賞球の振り分けが実現するようにした改良された入賞装置を提供せんとするものである。
【０００７】
【問題点を解決するための手段】
即ち、本発明は上述目的を達成するためなされたものであって、その特徴とするところは遊技板の前面に揃えて開設する飛入口にソレノイドによって開閉動される扉を設けた主体の内部に飛入入賞球を誘導する飛入球流路を設け、この流路の先に通常口と特別口を備え、その一方該流路の途中にソレノイドによって作動される振分けシャッタを備えて前記飛入口を通して飛入する入賞球を上記振分けシャッタにより前記通常口と特別口のいずれかに誘導転送するようにしたパチンコ機の入賞装置を提供することにある。
【０００８】
また本発明は前記通常口と特別口にそれぞれ入賞球の通過を検出する検出スイッチを備えてなることを特徴としたパチンコ機の入賞装置を提供することにある。
【０００９】
また本発明は前記通常口に装備される検出スイッチは予め設定する複数個の入賞球を計数記憶する記憶回路に接続し、また特別口に装備される検出スイッチは飛入口の扉を予め設定された回数の範囲で開放指示する継続回路に接続することを特徴としたパチンコ機の入賞装置を提供することにある。
【００１０】
また本発明は前記振分けシャッタを作動するソレノイドは飛入口の扉が閉塞状態にあるとき失磁させ、これによって通常口を閉じると同時に特別口を開放した状態に保持し、前記扉の開放に伴い入賞球が該特別口を通過したとき励磁させて前記振分けシャッタを作動させ通常口を開放するようにしてなることを特徴としたパチンコ機の入賞装置を提供することにある。
【００１１】
更にまた本発明は、前記通常口は飛入球流路の底部を切欠いて形成し、該切欠き部にソレノイドにより作動される振分けシャッタを出没自由に臨ませる一方、該切欠き部に隣接して特別口を開口させてなることを特徴としたパチンコ機の入賞装置を提供することにある。
次に本発明を図示する実施例について詳述し、その他の特徴を併せて説明することにする。
【００１２】
【実施例】
図１は本発明に係る入賞装置を遊技板に組込んだ使用状態の正面図であり、図２は入賞装置の拡大正面図、図３は扉を開放した状態における一部欠截した拡大平面図、図４は拡大背面図であり、図５は一部断面とした拡大背面図、図６は図３のＡ−Ａ線に沿って断面とした右側面図である。図面において１は入賞装置を示し、２は入賞装置の取付基板を、３はこの取付基板の背面に一体に設けられる筐形をなす主体を示す。
【００１３】
取付基板２は入賞装置を遊技板４に固定するためのもので、横長に形成してあり、その中央の上半部には横長長方形状をなす飛入口５を開設し、この飛入口の背後から主体３を臨ませ一体に組付けてある。そして、上記飛入口５の左右には対称状に始動用入賞球の受け口となる入賞口６を開設し、それぞれの前面に飛入ポケット７を設けている。
【００１４】
主体３は前記飛入口５に向けて開口し、後方に向けて緩い下り勾配を付けた底板８の後方に左方から右方に向けて下り勾配にした飛入球を整列誘導する飛入球流路９を設けている。
【００１５】
上記底板８並びに飛入球流路９は前記飛入口５を通して主体３内部に飛入した入賞球を順序よく整列させるための整列誘導手段であり、この飛入球流路９の先には通常口１０と特別口１１が開設する。
【００１６】
通常口１０と特別口１１は主体内に飛入した入賞球を計数することに併せて予め設定するゲーム内容に合わせて入賞球の通過を個別に検出するためのもので、ここに示す通常口１０は左下がり勾配を付した飛入球流路９の先端部の底部を切欠いて設けてある。そして、その下方を遊技板背面に装備する図示しない入賞球通路に接続させてある。
一方、特別口１１はこの通常口１０の後面を切開いて後向きに開口させてあり、その背面部には同じく上記入賞球通路に接続させるための囲み１２が設けてある。
【００１７】
図中、１３は上記通常口１０を開閉操作し、併せて特別口１１と飛入口流路９との連通，遮断を操作する振分けシャッタである。このシャッタ１３は通常口１０の前面側の側面に沿って水平に付設するレール１４にピン１５を滑合させて左右方向に摺動自由に取付き、ソレノイド１６によって出没操作されるものとなっている。
【００１８】
上記ソレノイド１６は通常失磁状態におかれる。そして、このとき巻装するコイルばね１７によってプランジャ１８を引き伸ばし、シャッタ１３から垂設する連結板１９を介してこのシャッタ１３を左方に押出し通常口１０を閉塞するようにしてある（図５参照）。
このシャッタ１３は図６に示したように上面を後方に向けて下り勾配に形成してあり、この勾配によって閉塞と同時に飛入球流路９と特別口１１とを連通することができるようにしてある。
【００１９】
図中２０，２１は上記通常口１０と特別口１１に各装備した検出スイッチで、通常口１０に装備される検出スイッチ２０は予め定めた入賞球の複数個、ここでは９個の入賞球を計数する検出スイッチとして、また特別口１１に装備した検出スイッチ２１は入賞球１個を計数する検出スイッチとしてそれぞれ備えてある。
【００２０】
２２は飛入口５に装備した扉で、２３はこの扉を開閉作動するソレノイドである。
扉２２は飛入口５に収まる大きさの横長長方形状に形成してあり、左右両側縁には飛入口の開口縁に臨む取付基板２の背面部に設ける軸受部（図示せず）に軸承させる回転支軸２４が対応状に突設してある。そして、左右の側縁部には球零れを防止する側枠２５を設けると共に、一方の側枠２５（ここでは左方の側枠）の外側面に滑合突起２６を設け、ソレノイド２３によって揺動される腕２７に連結させてある。
【００２１】
ソレノイド２３は主体３の背後に立設するコネクター基板２８の取付台２９に取付金具３０を介して固定し、プランジャ３１を下向きにしてその先端部をピン３２を介して前記腕２７の長さの途中に連結してある。
腕２７は主体３の側方に延設する取付片３３に設ける軸受部に後端部の軸３４を軸承させて揺動自由に取付き、腕の長さの途中に開設する長孔３５に前記ピン３２を挿通させてプランジャ３１と連結し、また揺動先端部に形成するＵ字形の受部３６に扉２２の前記滑合突起２６を滑合させてこの扉２２と連結するようにしてある。
【００２２】
ソレノイド２３は常態にあるとき失磁して縮設するバネ３７によってプランジャ３１を引き伸ばし、支軸３４を支点とした腕２７の先端部を押し下げて扉２２を起立した状態に保ち、飛入口５を閉塞する（図７参照）。
この常態において始動の信号を受け励磁すると、バネ３７に抗して引き上げられるプランジャ３１によって腕２７は揺動自由端を跳ね上げ支軸２４を支点にして扉２２を水平に倒し、飛入口５を開放することになる（図８参照）。このとき扉は図示するように上半部分を飛入口５の前方に突き出し遊技４の前面に沿って落下する打球を受け止め、上面（実質上の背面）の勾配に従って飛入口５の内方に誘導することになる。
【００２３】
この様に構成される入賞装置において取付基板２の左右前面部に備えられる前記始動用の入賞口６には入賞球を検出するスイッチ３８が設けてあり、この入賞口に打球が飛入したときこれを検出してその信号により前記ソレノイド２３を励磁して扉２２が開放されるようにしてある。
【００２４】
ところで、本発明入賞装置は各種のゲームに対応させて扉２２の開閉と、主体内部の振分けシャッタ１３の開閉を制御することにより、それぞれゲームを任意に設定することが出来るものとなっているが、ここでは上述の様に入賞口６に打球が飛入したとき、扉２２を開放して打球の飛入を容易にする一方、この扉は飛入口５を通して１０個の入賞球を受け入れるまで開放状態が継続するようにしてある。そして、この入賞球を通常口１０と特別口１１に各備える両検出スイッチ２０，２１によって検出し計数する一方、前記扉２２が閉じられているとき、ソレノイド１６を失磁させて振分けシャッタ１３で通常口１０を閉塞し、これに伴わせて特別口１１を開放させて前記飛入口５を通した入賞球がこの特別口に誘導されるようにしてある。
【００２５】
特別口１１は前記扉２２の開放に伴って最初の入賞球が通過したとき、これをスイッチ２１で検出し、計数すると同時にその信号によりソレノイド１６を励磁して前記シャッタ１３を摺動させ飛入球流路９の先端にある通常口１０を開放する。そして、前記最初の入賞球に続いて飛入する入賞球をこれに通過させることになる。
【００２６】
この様に特別口の検出スイッチ２１は入賞球の計数と、ソレノイド１６を励磁するための信号を発する外、扉２２が閉塞された後再びこの扉を開放するための継続記憶回路に信号を送るものとなっている。その一方、通常口１０の検出スイッチ２０は予め設定する個数（ここでは９個）の入賞球を検出計数すると同時に、この設定した個数の入賞球があったとき前記扉２２を閉塞する記憶回路に信号を送り１回の開放を終了させるものにしてある。
【００２７】
上記継続記憶回路はここでは１６個の入賞球をカウントし記憶するようにしてあり、これを１ゲームとしてある。そして、この間に１６回扉２２を開放し、１回の開放について特別口１１を通過する１個を含めて通常口１０の９個のカウントを加えて１０個の入賞球の飛入を許すよう設定してある。そして更に１個の入賞球に対して１３個の賞球を放出するよう設定することから本発明入賞装置においては１個の入賞球が始動用入賞口６に飛入すると大当たり状態となって最終的に合計２０８０個の賞球が放出されるようになっている。
【００２８】
【発明の効果】
以上説明の様に、本発明入賞装置は扉２２の開放に伴わせて打球の飛入を可能にすると同時に、飛入した入賞球を底板８において、また飛入球流路９において整列させながらこれをその先に設ける通常口１０と特別口１１に誘導する一方、この途中に設ける振分けシャッタでそれぞれ異なる条件に設定した各通過口に対して正確に振り分けられることから従来装置におけるような偶然性が入る余地が少なく、従って予め設定通りのゲームの組立を行うことができる。
【００２９】
ことに本発明は飛入する入賞球を一律に受け入れ、主体内部のシャッタで振分けることから継続用の検出スイッチ２１を設ける特別口１１に入賞球が送られないと言ったことがなく、従来の偶然性に頼った入賞装置のように予め設定した継続回数が断たれて遊技者に不利益をもたらすようなことがなく、従来の問題点を有効に回避することができる。
【００３０】
また本発明においては最初の入賞球を特別口に誘導し、継続の権利を確保するようにしたことから仮に誤作動によって扉が閉じられても再度の開放が保証されることになり不利益を最小限に止められる利点がある。
勿論、本発明における振分けシャッタの作動時期、作動回数等は自由に設定できるものであるので、これに伴わせてゲームの組立を自由に設定できることは言うまでもないことである。
【図面の簡単な説明】
【図１】本発明に係る入賞装置を遊技板に組付けた使用状態を示す正面図。
【図２】入賞装置の拡大正面図。
【図３】扉を開放した状態における一部欠截した入賞装置の拡大平面図。
【図４】入賞装置の拡大背面図。
【図５】一部断面とした入賞装置の拡大背面図。
【図６】図３のＡ−Ａ線に沿って断面とした右側面図。
【図７】扉とソレノイドの関係を説明する扉を閉塞状態にした左側面図。
【図８】扉とソレノイドの関係を説明する扉を開放状態にした左側面図である。
【符号の説明】
１                  入賞装置
２                  取付基板
３                  主体
４                  遊技板
５                  飛入口
７                  始動用入賞口
８                  底板
９                  飛入球流路
１０                通常口
１１                特別口
１３                振分けシャッタ
１６                  ソレノイド
１８                プランジャ
２０，２１，３８    検出スイッチ
２２                扉
２３                ソレノイド
【図１】
0003644691.tif 000002
【図２】
0003644691.tif 000003
【図３】
0003644691.tif 000004
【図４】
0003644691.tif 000005
【図５】
0003644691.tif 000006
【図６】
0003644691.tif 000007
【図７】
0003644691.tif 000008
【図８】
0003644691.tif 000009